(57)【要約】  本発明は、レンズシステムに関する。より詳細には、本発明は、第１レンズ３、偏向要素５、及び第２レンズ６を有するレンズシステムに関し、偏向要素５は、第１レンズ３と第２レンズ６との間に配置され、偏向要素は、少なくとも第１環状領域及び第２環状領域を有し、環状領域は、同心の態様で配置され、各環状領域の偏向要素は、他の全ての環状領域の偏向角とは異なる。更に、本発明は、レンズシステムを有する温度分析システムと、温度分析システムの使用とに関する。
2009539134.tif 000002
【特許請求の範囲】
【請求項１】
第１レンズ、偏向要素、及び第２レンズを有するレンズシステムであって、該偏向要素が前記第１レンズと前記第２レンズとの間に配置されるレンズシステムにおいて、
前記第１レンズ、前記偏向要素、及び前記第２レンズを構成する材料が、赤外光に対して１．０１乃至１０の屈折率を有し、前記偏向要素が、少なくとも第１環状領域及び第２環状領域を有し、これらの環状領域が、同心円の態様で構成され、各環状領域の偏向角が、いかなる他の環状領域の偏向角とも異なることを特徴とする、レンズシステム。
【請求項２】
前記第１レンズ、前記偏向要素、及び前記第２レンズを構成する前記材料が、赤外光に対して１．１乃至８、好ましくは１．２乃至６、より好ましくは１．３乃至５の屈折率を有する、請求項１に記載のレンズシステム。
【請求項３】
前記第１環状領域の前記偏向角が、５度乃至７０度、好ましくは１０度乃至４５度、より好ましくは１５度乃至３０度であり、前記第２環状領域の前記偏向角が、５度乃至７０度、好ましくは１０度乃至４５度、より好ましくは１５度乃至３０度である、請求項１又は２に記載のレンズシステム。
【請求項４】
前記偏向要素がプリズムリング、フレネルレンズ、及び／又は回折格子を含むグループから選択される、請求項１乃至３の何れか一項に記載のレンズシステム。
【請求項５】
更に検出器アレイを有する、請求項１乃至４の何れか一項に記載のレンズシステム。
【請求項６】
更に開口部を備える絞りを有する、請求項１乃至５の何れか一項に記載のレンズシステム。
【請求項７】
更にプローブマウントを有する、請求項１乃至６の何れか一項に記載のレンズシステム。
【請求項８】
ダイクロイックミラー、第３レンズ、及び第２検出器アレイを更に有する、請求項１乃至７の何れか一項に記載のレンズシステム。
【請求項９】
請求項１乃至８の何れか一項に記載のレンズシステムを含む温度分析システム。
【請求項１０】
温度を決定する、請求項９に記載の温度分析システムの使用。
【請求項１１】
請求項９に記載の温度分析システムを含む診断装置。
【請求項１２】
融解曲線を決定する、請求項１１に記載の診断装置の使用。
【発明の詳細な説明】
【技術分野】
【０００１】
本発明は、レンズシステムに関する。より詳細には、本発明は、第１レンズ、偏向要素、及び第２レンズを有するレンズシステムに関し、偏向要素は、第１レンズと第２レンズとの間に配置される。更に、本発明は、レンズシステムを含む温度分析システムと、温度分析システムの使用とに関する。
【背景技術】
【０００２】
ラボ・オン・チップ又はバイオセンサは、これが非常に少量の化学物質を使用した高速且つ総合的な解決を可能にするので、医療診断、薬剤開発、化学産業等にとって非常に強力なツールである。しばしば、診断情報を得るため、（最終的な）分析は、例えば蛍光ラベルによりラベリングされ得る。照明の下でラベルは、光子を吸収し、そこで異なる波長の光子を放出し得る。これは、光学系により検出され得る。
【０００３】
それゆえ、ある溶液、例えば血液サンプルにおけるある分子の濃度の測定は、蛍光強度及び結合反応速度に関する。結合反応速度（結合事象の数を決定するプロセス）にとって、温度、特に結合場所における温度は、重要なパラメータである。温度の正確且つ局部的な測定は、サンプル中のターゲット分子の数の正確な解釈のための鍵である。これは、赤外カメラでバイオアッセイの領域をイメージングすることにより測定され得る。しかしながら、これは、ＩＲ  ＣＣＤカメラのような高価な設備を必要とする。
【０００４】
分析システムにおける正確な局部温度を決定又は制御する多くの試みが、従来技術において行われている。米国特許出願公開ＵＳ２００４／０１８０３６９Ａ１は、固体表面で行われる核酸ハイブリダイゼーション分析を開示する。単鎖オリゴヌクレオチドを含むキャプチャプローブは、固体基板表面で動かなくされる。サンドイッチ分析法を使用するいくつかの実施例において、キャプチャプローブは、相補的ターゲット核酸シーケンスをハイブリッド化し、ターゲット相補オリゴヌクレオチドを含むナノ粒子オリゴヌクレオチド共役を持つ検出プローブに結合される。いくつかの実施例において、検出プローブは、リガンド結合対の一方のパートナー（例えばストレプトアビジン）を含む分子に結合されるナノ粒子を有する一方、ターゲットシーケンスが、リガンド結合対の他方のパートナー（例えばビオチン）を有する。固体表面は、ナノ粒子により吸収される波長で光を照射され、したがって、温度ジャンプを誘発する。ナノ粒子により発生される熱は、赤外サーモグラフィのようなフォトサーモグラフィにより検出される。
【０００５】
米国特許出願公開ＵＳ２００４／０１８０３６９Ａ１で教示される技術は、ナノ粒子の加熱に依存するという点で不利である。これらは、サイズ、組成、コロイド安定性において様々であり得る。更に、この間接的なアプローチは、系統的測定誤差のような誤差の他のソースを加える。最後に、このアプローチは、強い相互作用を経験する分子に制限される。分子間の弱く、可逆的な相互作用は、研究され得ない。
【０００６】
米国特許出願公開ＵＳ２００４／０１８４９６１Ａ１は、多くの束縛相互作用を監視し、相互作用に関連するデータを取得する装置及び方法を開示する。説明的な実施例によると、装置は、ＩＲセンサ、スライドセパレータ、及び第１端において該センサに光学的に結合されるＩＲ送信ファイバを含む。スライドセパレータは、ファイバの第２端を様々なサンプル担体にインタフェースするために必要とされるように、ファイバ間の間隔を調整する。ファイバの第２端は、サンプル担体から化学物質を捕獲する。ファイバの端の化学物質は、束縛化合物と接触される。結合活動が生じる場合、これを示す温度信号が、ファイバを通じてセンサに送信されるであろう。
【０００７】
ＩＲ送信ファイバの使用が、設計に複雑さをもたらし、更に、合理的に研究され得るプローブの数を制限するので、これは不利である。更に、ファイバの端の結合化学物質の要件は、研究され得る、可能な化学物質の数及び可能な相互作用に対して制限を置く。ファイバが、プローブ溶液と接触されることを必要とするので、血液のような感染性のマトリクスの使用は、単一の使用に対してこれらを制限する。これは、非常にコストがかかる。
【０００８】
これらの努力にもかかわらず、物理的にプローブ溶液と接触せず、幅広い用途に使用され得る、製造するのに安価な熱分析システムの単純なコンポーネントの技術に対する必要性が依然として存在する。
【発明の開示】
【発明が解決しようとする課題】
【０００９】
本発明は、従来技術の欠点の少なくとも１つを克服する目的を有する。より詳細には、本発明は、製造するのに安価な熱分析システムのためのシステムのコンポーネントを供給する目的を有し、このメインコンポーネントがサンプルと接触せず、幅広い様々な熱分析ターゲットが研究されることを可能にする。
【課題を解決するための手段】
【００１０】
本発明は、第１レンズ、偏向要素、及び第２レンズを有するレンズシステムを供給することにより、この目的を達成し、偏向要素は、第１レンズと第２レンズとの間に構成され、第１レンズ、偏向要素、及び第２レンズを構成する材料は、赤外光に対する１．０１乃至１０の屈折率を有し、偏向要素は、少なくとも第１環状領域及び第２環状領域を有し、これらの環状領域は、同心の態様で配置され、各環状領域の偏向角は、他の全ての環状領域の偏向角とは異なる。
【００１１】
本発明によるレンズシステムを用いると、環状表面領域から来る赤外光を検出器にフォーカスすることが可能になる。近隣の環状表面領域から、例えばより大きい又はより小さい直径から来る赤外光は、隣接した検出器にフォーカスされる。それゆえ、各検出器から生じる信号は、ある環状表面領域に割り当てられ得る。この設定は、非常に安い個々のコンポーネントで達成され得る。更に、これは、容易に小型化され得る。
【００１２】
本発明の更なる利点は、これが受動システムであり、応答を引き出すための電磁放射による照射に依存しない。これは、システムの正確性及び多用途性を改善する。
【発明を実施するための最良の形態】
【００１３】
本発明が詳細に記載される前に、このような装置及び方法が多様であり得るので、この発明は、記載される装置の特定のコンポーネントパーツ又は記載される方法の処理ステップに制限されないことが、理解されるべきである。また、ここに使用される用語は、特定の実施例を説明することのみを目的とし、制限することを意図されない。明細書及び請求項に使用される単数の表記は、文脈が明確に指示していない限り、単数及び／又は複数への言及を含むことは、留意されなければならない。
【００１４】
本発明において、「第１レンズ」及び「第２レンズ」は、互いから独立して、平凸、両凸、及び／又は凸凹設計を持ち得るレンズに言及する。これらの外側表面は、独立して球面及び／又は非球面の曲率を有し得る。第１レンズの焦点長さは、０．１ｃｍ乃至１０ｃｍ、好ましくは０．５ｃｍ乃至５ｃｍ、より好ましくは１ｃｍ乃至３ｃｍの範囲にあり得る。独立して第２レンズの焦点長さは、０．１ｃｍ乃至１０ｃｍ、好ましくは０．５ｃｍ乃至５ｃｍ、より好ましくは１ｃｍ乃至３ｃｍの範囲にあり得る。両方の場合において、焦点の長さは、赤外光に対する焦点の長さとして理解されるべきである。レンズは、制限されないが、フッ化カルシウム、サファイア、ポリエチレン、ゲルマニウム、シリコン、及び／又は硫化亜鉛を含むグループから選択される材料を有し得る。
【００１５】
「偏向（deflection）要素」という用語は、平行な光のビームが互いに対して依然として平行であるが、偏向要素の前よりも光軸に対して異なる角を有するように、平行な光のビームを曲げることができる光学要素を言及する。偏向要素は、制限されないが、フッ化カルシウム、サファイア、ポリエチレン、ゲルマニウム、シリコン、及び／又は硫化水素を含むグループから選択される材料を有し得る。
【００１６】
「赤外光」は、８００ｎｍ乃至１５０００ｎｍ、他の単位で０．８μｍ乃至１５μｍの波長を有する電磁放射を言及する。放射は、物体の黒体輻射であることがあり得る。
【００１７】
用語「赤外光の屈折率」は、個々の光学コンポーネントの全体の屈折率を参照する。例えば表面がバルク材料とは異なる屈折率を有するように、光学コンポーネントが、表面処理された場合、全体の屈折率は、これらの影響の総和の結果である。言い換えると、全体の屈折率は、光学コンポーネントを通過するときに赤外光が経験する屈折率である。
【００１８】
本発明において、偏向要素は、少なくとも第１環状領域及び第２環状領域を有する。これらの環状領域は、同心の態様で構成される。偏向要素が２つのみの環状領域を有する場合において、内側の領域は、円の形状を有し得る。用語「環状領域の偏向角」により理解されるべきことは、相互に平行な光のビームが、偏向要素の環状領域に着き、依然として相互に平行であるとともに、光軸に対して異なる角度で偏向されることである。
【００１９】
本発明の特徴は、偏向要素の各環状領域の偏向角が互いに異なることである。例えば、最も内側の環状領域の偏向角は、最も小さい構成であり得、隣接する領域の偏向角は、より大きい等である。代替として、最も小さい環状領域の偏向角が、最も大きい構成であり得、隣接する領域の偏向角は、より小さい等である。偏向角は、２，３，４等のような一定の係数で互いに異なり得る。代替として、これらは、特別な構成要件に完全に従うため、一定の係数で互いに異ならなくなり得る。
【００２０】
本発明によるレンズシステムを用いると、環状領域から生じる温度が、平均化されるとともに測定され得る。測定は、環状領域からの赤外光が集められ、特定の検出器にフォーカスされる場合に可能である。より大きい又はより小さいリングセクションが、他の検出器にフォーカスされる。
【００２１】
本発明によるレンズシステムは、空間的分解能を可能にし、この分解能を達成するためにいかなる移動するパーツも必要としない。それゆえ、システムは、安く、小さく、且つ耐久性を維持する。表面から赤外光が集められると、潜在的に危険なサンプルと接触する必要性も排除される。
【００２２】
サンプル領域と接触することを必要としないので、非平面の表面も分析され得る。これは、生体の被検体を研究する場合に有利になり得る。目又はリンパ節は、非平面領域の例であり、検査され得る。
【００２３】
本発明の一実施例において、第１レンズ、偏向要素、及び第２レンズは、赤外光に対して１．１乃至８、好ましくは１．２乃至６、より好ましくは１．３乃至５の屈折率を有する。屈折材料は、分散、すなわち放射の波長に対する屈折率の変動を示すので、赤外光に対してこれらの屈折率を有する材料は、３μｍ乃至１４μｍ、又は８μｍ乃至１０μｍの波長範囲の用途によく適応する。これらの波長範囲は、これらが生理的な研究及びドラックデリバリ研究の間に日常的に遭遇する温度を表わし得るので興味深い。例えば、９．５μｍの赤外波長は、哺乳類の身体に見られる温度周波数の最大放射に対応する。
【００２４】
本発明の他の実施例において、第１環状領域の偏向角は、５度乃至７０度、好ましくは１０度乃至４５度、より好ましくは、１５度乃至３０度であり、第２環状領域の偏向角は、５度乃至７０度、好ましくは１０度乃至４５度、より好ましくは１５度乃至３０度である。これらの範囲の偏向角をもつ光学要素は、安価に利用可能であり、所望でないバルクをレンズアセンブリに課さない。これらの角で変更される赤外光ビームは、過度の光学収差なく第２レンズにより容易にフォーカスされ得る。
【００２５】
本発明の他の実施例において、偏向要素は、プリズムリング、フレネルレンズ、及び／又は回折格子を含むグループから選択される。これらの光学要素は容易に利用可能であり、アセンブリの精密な必要のため、調整され得る。プリズムレンズの場合において、赤外光レンズと直接面するプリズム表面は、各環状領域に対する偏向角が他のものとは異なることを保証するため、個々の環状領域に対して異なる角度を光軸となす。同じ原理が、個々に異なる環状領域を有するフレネルレンズに対して適用する。回折格子の場合では、ピッチ及び講師ベクトルは、格子平面の位置で異なり得る。
【００２６】
本発明の他の実施例において、レンズシステムは、検出器アレイを更に有する。検出器アレイは、第２レンズの前に位置され、このレンズの焦点平面において最もよく動作するように位置される。アレイは、複数の検出器を有する。これらは、線形の構成のような１次元の態様か、又は２次元の態様で構成され得る。個々の検出器は、アレイの表面における最大の大きさが１０μｍ乃至２０００μｍであるようなサイズにされ得る。１次元における個々の検出器の間隔は、１０μｍ乃至２０００μｍであり得る。検出器は、可視光に対するＩＲ検出器のような温度検出器であり得る。
【００２７】
温度検出器は、受信されるＩＲ放射に依存して、電気信号を生成するのに役立つ。検出器の較正により、温度が計算され得る。温度検出器は、マイクロボロメータであり得るか、又はＩｎＳｂ，ＨｇＣｄＴｅ，ＰｂＳｅ若しくはＡｌＧａＡｓ合金のような半導体に基づき得る。波長に関して、検出器は、３μｍ乃至１４μｍ、好ましくは８μｍ乃至１０μｍの波長の放射を検知し得る。可視光の検出器は、可視光の放射に応答して電気信号を生成する。こうすることにより、蛍光信号の強度が定量され得る。
【００２８】
検出器アレイは、検出器の前に可視光のフィルタと組み合わされ得る。これは、誤った信号をもたらし得る所望でない迷放射を遮断するのに役立つ。
【００２９】
検出器アレイが、温度及び可視光の両方の検出器を有することも想定される。これらは、可視光及び温度検出器の両方が、ＩＲ及び可視光を放出する同じ環状表面領域によりアドレス指定されるように構成され得る。これらは、近接して存在するか、光学コンポーネントに対する材料の分散を考慮して、間を隔てて存在する。両方の代替において、サンプルの温度及び蛍光強度の同時測定が可能となる。
【００３０】
本発明の他の実施例において、レンズシステムは、開口絞りを更に含む。絞りは、第１レンズと偏向要素との間に位置される。最もよい動作では、絞りは、第１レンズの焦点平面に位置される。それから偏向要素は、第１レンズの焦点の長さの２倍の距離の平面に位置される。絞りは、レンズシステムに入り、温度読み取りに誤りをもたらし得る、所望でない背景放射を遮断し得る。絞りの開口部は、レンズシステムの光軸を中心とし、ＩＲ放射が放出される領域の近隣の部分の間の重なりを制限するのに役立つ。開口部は、１ｍｍ乃至１０ｍｍの直径を有し得る。
【００３１】
本発明の他の実施例において、レンズシステムは、プローブマウントを更に有する。プローブマウントは、最もよい動作のために、第１レンズの焦点平面であって、システムの他のコンポーネントの反対側に位置され、個々の分析プローブが含まれるプローブウェルを有する。本発明の光学設計を最大限に活用するため、プローブは、同心円の態様で配置される。前記領域は、水加熱／冷却又はペルチェ加熱／冷却のように個々に特定の温度にされ得る。プローブマウントは、例えば１ｍｍ乃至５０ｍｍ、好ましくは２ｍｍ乃至２０ｍｍ、より好ましくは３ｍｍ乃至１０ｍｍの直径を有し得る。プローブセルは、サンプルを固定することができる個々のくぼみを有し得る。くぼみは、０．１ｍｍ乃至５ｍｍ、好ましくは０．２ｍｍ乃至２ｍｍ、より好ましくは０．３ｍｍ乃至１ｍｍの直径を有し得る。
【００３２】
本発明の他の実施例において、レンズシステムは、ダイクロイックミラー、第３レンズ、及び第２検出器アレイを更に有する。ダイクロイックミラーは、ＩＲと可視光との間の放射を区別するのに役立つ。例えばダイクロイックミラーは、ＩＲ光を反射せずに通過させ、可視光を反射し得る。代替として、ダイクロイックミラーはＩＲ光を反射し、可視光を変化させずに通過させ得る。光が９０度以外の角度で表面に当たるようにダイクロイックミラーが傾けられる場合、ＩＲ光及び可視光は、都合よく分離され得る。反射される光は、第３レンズ及び第２検出器を含む構成を通過し、これは、第２レンズ及び第１検出器に対して既に議論された構成と原則的に対応する。
【００３３】
第２検出器は、可視光又はＩＲ光に感知し得る。目的は、第１検出器の範囲を補完することである。
【００３４】
第３レンズの焦点の長さは、０．１ｃｍ乃至１０ｃｍ、好ましくは０．５ｃｍ乃至５ｃｍ、より好ましくは１ｃｍ乃至３ｃｍの範囲にあり得る。第３レンズの設計に関して、平凸、両凸、又は凸凹の設計があり得る。この実施例の構成により、サンプルの温度及びこの蛍光を同時に監視することが可能になる。
【００３５】
本発明の他の態様は、本発明によるレンズシステムを有する温度分析システムである。この温度分析システムは、同時温度分析を実行することが可能である。これは、例えばラボ・オン・チップシステムのような診断装置の一部であり得る。
【００３６】
本発明の更なる態様は、温度を決定するための、本発明による温度分析システムの使用である。例えば（蛍光ラベリングから）ＩＲ及び可視光を同時に分析することを可能にする本発明の実施例は、融解曲線を記録するために使用され得る。これは、ある固体の物質が蛍光を示し、これが融解とともに減少又は消失する根拠に基づく。温度に関する蛍光強度の変化を示す正確な曲線は、各物質の特徴を示す。それゆえ、本実施例による分析システムの使用は、より複雑な機器分析を用いる必要なく、容易且つ高速な態様で２つの物質の同一性、又は非同一性を確立することを可能にする。
【００３７】
システムの温度変化とともに束縛事象が生じる場合、サンプルにおける束縛事象を決定することも可能である。
【００３８】
温度の決定に加えて、本発明による温度分析システムは、フィードバックループの一部でもあり得る。それからフィードバックループは、加熱及び／又は冷却装置を含む。サンプルの温度が一定に保たれなければならないか、又はよく規定されたランプが所望される場合、これは重要である。
【００３９】
本発明は、以下により詳細に記載されるような図面を考慮する場合、より容易に理解されるであろう。
【００４０】
図１は、本発明による温度分析システムを示す。図は、システムの上からのものであるとして理解されるべきである。プローブマウント（１）は、光軸（ｓ）を中心に同心の態様で配置されるプローブウェル（２）を有する。プローブウェルの表面は、光学的対象平面を構成する。この平面は、個々の同心の領域に細分される。放出されるＩＲ放射を検出することにより、各領域の温度が測定され得る。これらの領域の１つにおいて、放出点（２）及び（２'）は、システムの光軸（ｓ）からある距離（ｙ）にある。半径（ｙ）のリングの更なる放出点が存在するが、図示されない。
【００４１】
これらの点は、ＩＲビーム（ｒ）を放出し、第１レンズ（３）により平行ビームにフォーカスされる。それから平行ビームは、光軸（ｓ）と角ｙ／Ｆ１をなし、ここで（Ｆ１）は、第１レンズ（３）の焦点長さである。ビームは、半径（ａ）の円形の孔をもつ絞り（４）に入射する。絞り（４）は、第１レンズ（３）の焦点平面に位置される。それからビームは、偏向要素として役立つ傾斜されたプリズムリングを通る。このコンポーネントの機能は、異なる角度でコンポーネントに入射するＩＲ光の平行ビームを曲げて、相互に平行である平行ビームにすることである。図からわかるように、傾斜プリズムリング（５）の前のビームは、コーンの表面を形成し、傾斜プリズムリング（５）の後のビームは、円柱の表面を形成する。これらのビームの伝搬の共通の向きは、光軸（ｓ）とある角βを形成する。
【００４２】
図１に図示される傾斜プリズムリング（５）は、断面図で鋸歯の外形を示す。非傾斜プリズムリングでは、各「歯」の角度は、入射してくる平行ビームが曲がる角度を決定する。この角度が正確に選択される場合、全ての存在するビームは相互に平行であり、光軸に平行である。このようなリングが傾斜される場合、存在するビームは依然として平行であるが、光軸とある角を形成する。
【００４３】
それから第２レンズ（６）は、これらのビーム全てを検出器アレイ（７）の表面により形成される平面の一点にフォーカスする。光軸からこの点の距離（ｂ）は、ｂ＝βＦ２の関係で与えられ、（Ｆ２）は、第２レンズ（６）の焦点長さである。この点は、検出器アレイ（７）の検出器（８）の１つにある。同じ対象領域の半径
2009539134.tif 000003
の隣接するリングは、付近の点
2009539134.tif 000004
にイメージングされる。検出器アレイ（７）のサイズは、プローブマウント（１）の対象領域における全てのリングからＩＲ光を集めるのに十分大きい。
【００４４】
更に、傾斜プリズムリング（５）のリング幅は、実質的に同じ角度で対象領域から来る全ての光を曲げるのに十分大きい。
【００４５】
異なる対象領域からの光は、傾斜プリズムリングの異なるリング領域に入射する。この異なるリング領域も、全ての入ってくる平行ビームを相互に平行であるが、光軸から共通の角度β'をなすような態様で曲げる。像点は、光軸から距離ｂ'＝β'Ｆ２にあり、検出器アレイ（７）の異なる検出器（８）にある。
【００４６】
図２は、本発明による更なる温度分析システムを示す。該システムは、図１に図示されているシステムに対応し、ダイクロイックミラー（９）、第３レンズ（１０）及び個々の検出器を備える第２検出器アレイ（１１）を更に有する。放出点（２）及び（２'）は、ＩＲ（ｒ）及び可視光（ｖ）を放出する。可視光（ｒ'）は、サンプルの蛍光を起源とする。ビームは、第１レンズ（３）によりフォーカスされ、絞り（４）を通過し、偏向要素（５）により偏向される。
【００４７】
図１との違いは、ダイクロイックミラー（９）がＩＲ光（ｒ）のビームと可視光（ｖ）のビームとを分割することである。赤外ビーム（ｒ）は、変化されずにダイクロイックミラー（９）を通過し、第２レンズ（６）により上記検出器アレイ（７）の検出器（８）にフォーカスされる。可視ビーム（ｖ）は、ダイクロイックミラー（９）の動作を通じてこの向きを変更する。可視ビームの個々のビームは、依然として互いに平行である。これらは、第３レンズにより、第２検出器アレイ（１１）の検出器（１２）にフォーカスされる。検出器アレイ（１１）において、個々の検出器（１２）は、お互いからある距離（ｃ）だけ隔てられる。検出器アレイ（１１）は、焦点長さ（Ｆ３）で示されるように、第３レンズ（１０）の焦点平面に位置される。
【００４８】
図３は、同心リングにある円形プローブウェル（２）をもつプローブマウント（１）の正面図を示す。
【００４９】
過度に明細書を長くせずに包括的な開示を提供するため、出願人は、上で参照された特許出願の各々を参照によりここに含める。
【００５０】
上記詳細な実施例の要素及び特徴の特定の組み合わせは、例示的なものに過ぎず、これらの教示をここ及び参照により組み込まれる特許／出願における他の教示と交換及び代替することも、明示的に考慮される。当業者らが認識するように、ここに記載されるものの変形、修正、及び他の実施は、請求項に記載される本発明の要旨及び範囲を逸脱することなく、当業者に思いつき得る。したがって、上の記載は、例に過ぎず、制限として意図されない。本発明の範囲は、請求項及びこれと等価のものに規定される。記載及び請求項で使用される参照符号は、請求項に記載される本発明の範囲を制限しない。
【図面の簡単な説明】
【００５１】
【図１】図１は、本発明によるレンズシステムを含み、プローブウェル及び検出アレイを備えるプローブマウントを更に含む、温度分析システムを示す。
【図２】図２は、本発明によるレンズシステムを含み、プローブウェル、第１検出器アレイ、ダイクロイックミラー、第３レンズ、及び第２検出器アレイを更に含む、温度分析システムを示す。
【図３】図３は、本発明において使用されるプローブウェルを示す。
【図１】
2009539134.tif 000005
【図２】
2009539134.tif 000006
【図３】
2009539134.tif 000007
【国際調査報告】
2009539134.tif 000008
2009539134.tif 000009
2009539134.tif 000010